(57)【特許請求の範囲】
【請求項１】
冷却液により冷却する液冷式の内燃機関と、冷媒を冷却するためのコンデンサを備えた空調装置と、これら内燃機関及び空調装置の制御を行う制御装置とを備え、前記内燃機関が、前記冷却液を循環させる電動ポンプと、冷却液を放熱させる放熱器及びこの放熱器に送風する送風機を有する放熱装置とを備えた車両であって、
前記制御装置が、前記空調装置の作動を検出した際に、前記電動ポンプからの冷却液の吐出量を、空調装置の負荷、前記冷却液の温度、外気温、内燃機関の要求負荷、前記送風機の送風モータの状態および車速をパラメータとして決定される増加幅だけ増加させる制御を行うことを特徴とする車両。
【請求項２】
前記制御装置が、前記空調装置の作動を検出した際に、所定のディレイ時間の間待機し、その後前記電動ポンプからの冷却液の吐出量を増加させる制御を行う請求項１記載の車両。
【発明の詳細な説明】
【技術分野】
【０００１】
本発明は、液冷式の内燃機関と、空調装置とを備えた車両に関する。
【背景技術】
【０００２】
従来より、車両に搭載された内燃機関を冷却する方法の一つとして、冷却液により冷却する液冷式のものが考えられている。具体的には、前記冷却液を循環させて冷却を行うためのポンプと、冷却液を放熱させる放熱器を有する放熱装置とを内燃機関に設け、放熱器に達した冷却液を送風機による送風された外気により冷却する構成のものが知られている（例えば、特許文献１を参照）。
【０００３】
一方、このような車両の内部空間の温度調節を行うべく、冷媒をコンプレッサにより圧縮し、コンデンサにより走行風等を利用して圧縮された冷媒からの放熱を行うとともに冷媒を液化し、液化した冷媒をエバポレータに導いて車両内部の大気との熱交換を行うことにより車両内部の大気を冷却する一方で冷媒を気化させ、気化した冷媒を前記コンプレッサに導く冷却サイクルを利用する空調装置が多く用いられる。
【０００４】
ところで、特に空間に限りがある小型の車両等においては、前記放熱装置の放熱器と前記空調装置のコンデンサとが近接して設けられることがある。この場合、空調装置が作動すると、空調装置のコンデンサから放出される熱により放熱装置の放熱器に導入された冷却液が加熱され、放熱装置による冷却効率が低下する。
【０００５】
しかして、冷却液の温度上昇に伴うノッキングの発生を防止するには、放熱装置の送風機からの送風量を増加させる制御や、冷却液を循環させるためのポンプを内燃機関と連動する機械式ポンプとするとともに内燃機関の回転数を上昇させてこの機械式ポンプからの冷却液の吐出量を増加させる制御や、冷却液を循環させるためのポンプをバッテリからの電力により作動する電動ポンプとするとともに放熱装置の放熱器から排出された冷却水温に基づき電動ポンプからの冷却液の吐出量を増加させる制御等が考えられるが、これらの制御を採用した場合、以下に述べるような不具合が存在する。
【０００６】
すなわち、放熱装置の送風機からの送風量を増加させる制御を採用する場合は、ノッキングが発生しやすい高速域ではそもそも放熱装置の送風機からの送風量を最大又はその付近としていることが多く、また、そもそも走行風の風量が多いため冷却水の冷却効率の向上を期待しにくいという問題や、この送風機からの送風量の制御は２〜３段階程度の有段制御であることが多いので精密な制御が困難であるという問題が存在する。
【０００７】
また、内燃機関の回転数を上昇させて前記機械式ポンプからの冷却液の吐出量を増加させる制御を採用する場合、回転数を上昇させることによるアイドル運転時の燃費の悪化や、走行時に回転数を上昇させるべく変速機の減速比が大きくなることによる騒音の増大や乗り心地の悪化といった問題が存在する。
【０００８】
一方、放熱装置の放熱器から排出された冷却水温に基づき電動ポンプからの冷却液の吐出量を増加させる制御を行う場合、放熱装置の放熱器出口と内燃機関入口との間に水温センサを設ける必要があるので、内燃機関から排出される冷却水の水温を計測する水温センサを省略して部品点数を削減するとノッキング発生の抑制を行いにくくなり燃費が悪化する不具合が存在し、内燃機関から排出される冷却水の水温を計測する水温センサも設けると部品点数の増大によるコスト上昇が発生するという別の不具合が存在する。
【先行技術文献】
【特許文献】
【０００９】
【特許文献１】特開２００６−２６６１０５号公報
【発明の概要】
【発明が解決しようとする課題】
【００１０】
本発明は以上の点に着目し、空調装置を備えた車両において、空調装置の作動時においても部品点数の増大を招くことなく安定して冷却液の液温制御を行えるようにすることを目的とする。
【課題を解決するための手段】
【００１１】
すなわち本発明に係る車両は、冷却液により冷却する液冷式の内燃機関と、冷媒を冷却するためのコンデンサを備えた空調装置と、これら内燃機関及び空調装置の制御を行う制御装置とを備え、前記内燃機関が、前記冷却液を循環させる電動ポンプと、冷却液を放熱させる放熱器及びこの放熱器に送風する送風機を有する放熱装置とを備えた車両であって、前記制御装置が、前記空調装置の作動を検出した際に、前記電動ポンプからの冷却液の吐出量を、空調装置の負荷、前記冷却液の温度、外気温、内燃機関の要求負荷、前記送風機の送風モータの状態および車速をパラメータとして決定される増加幅だけ増加させる制御を行うことを特徴とする。
【００１２】
このようなものであれば、空調装置の作動に伴い該空調装置のコンデンサから放熱が行われ、このコンデンサからの熱により放熱装置の放熱器による冷却性能が低下することを見越して電動ポンプからの冷却液の吐出量を増加させる制御、すなわち放熱装置による冷却能力を増強する制御を行うので、特別な装置を用いることなく、冷却液の液温制御の収束性を向上させることができる。
【００１３】
このような車両において、燃費の改善を図るための構成として、前記制御装置が、前記空調装置の作動を検出した際に、所定のディレイ時間の間待機し、その後前記電動ポンプからの冷却液の吐出量を増加させる制御を行うものが挙げられる。空調装置が作動を開始した後該空調装置のコンデンサから放熱が開始されるまでにはタイムラグが存在するが、このような制御を行えば、前記所定のディレイ時間を前記タイムラグに対応させることにより、空調装置のコンデンサから放熱が行われていない時間帯に冷却液の吐出量を増加させる、すなわち電動ポンプの出力を増大させることによる電力負荷の上昇を抑制できるからである。さらに、このような制御を行えば、前記空調装置の作動開始のタイミングと前記電動ポンプからの冷却液の吐出量を増加させる制御の開始のタイミングとをずらすことができるので、制御を安定して行うこともできる。
【発明の効果】
【００１４】
空調装置を備えた車両において、空調装置の作動時においても部品点数の増大を招くことなく安定して冷却液の液温制御を行うことができる。
【図面の簡単な説明】
【００１５】
【図１】本発明の一実施形態に係る車両を概略的に示す図。
【図２】同実施形態に係る制御装置が行う制御の手順を示すフローチャート。
【発明を実施するための形態】
【００１６】
本発明の一実施形態を図１〜図２を参照しつつ以下に述べる。
【００１７】
本発明の車両１００は、図１に示すように、冷却液により冷却する液冷式の内燃機関１と、冷媒を冷却するためのコンデンサ１４を備えた空調装置２と、これら内燃機関１及び空調装置２の制御を行う制御装置３とを備えたものである。
【００１８】
前記内燃機関１は、例えば冷却液として冷却水を使用するもので、シリンダブロック４とシリンダヘッド５との内部に設けられて冷却水が循環するウォータジャケット６と、冷却水を放熱させる放熱器たるラジエータ８及びラジエータ８に送風する送風機９からなる放熱装置７と、前記ウォータジャケット６と前記ラジエータ８との間で冷却水を循環させるための電動ポンプ１０とを備えている。また、この内燃機関１は、冷却水の温度（冷却水温度）を検出する水温センサ１１を、冷却水がラジエータ８に送り出されるウォータアウトレット６ａの近傍位置において備えている。
【００１９】
放熱装置７は、前記ラジエータ８と、このラジエータ８の背面側に配置されて該ラジエータ８に放熱のための風を供給する送風機９を構成する送風モータ９ａ及び送風モータ９ａにより回転駆動される送風ファン９ｂを有する送風機９とを備えている。送風モータ９ａの作動は、後述する制御装置３により制御される。ラジエータ８は、前記ウォータジャケット６に連通するウォータアウトレット６ａに接続される冷却水戻り管路７ａに接続されるとともに、前記電動式ウォータポンプの近傍に配置されたウォータジャケット６と連通するウォータインレット６ｂに接続される冷却水供給管路７ｂに接続される。送風モータ９ａは、例えば直流モータである。
【００２０】
電動ポンプ１０は、回転速度を変更できる形式の例えば直流モータで、その回転数を検出する回転数センサ１２を備えている。この電動ポンプ１０は、制御装置３から出力される駆動信号ｃによりその回転数が、冷却水温度に基づいて制御される。回転数センサ１２から出力される回転数信号ｂは、制御装置３に入力される。
【００２１】
一方、前記空調装置２は、この種の車両１００に用いられる空調装置２として周知のものと略同様の構成を有する。具体的には、冷媒をコンプレッサ１３により圧縮し、コンデンサ１４により走行風等を利用して圧縮された冷媒からの放熱を行うとともに冷媒を液化し、液化できなかった冷媒をレシーバ１５により液化した冷媒と分離し、液化した冷媒をエキスパンションバルブ１６からエバポレータ１７に噴射させることによりエバポレータ１７内で冷媒を気化させ、気化した冷媒を前記コンプレッサ１３に導く冷却サイクルを利用するとともに、エバポレータ１７内の冷媒と熱交換を行うことにより熱を奪われた大気をブロワファン１８により内部空間に送り込む構成のものである。ここで、前記コンデンサ１４は前記放熱装置７のラジエータ８と近接する位置に設けている。さらに、このコンデンサ１４内を流通する冷媒は、走行風だけでなく前記放熱装置７の送風機９からの風によっても冷却されるようにしている。ここで、この空調装置２の作動の開始及び終了は、電磁クラッチ１９の連結及び解除によりコンプレッサ１３と内燃機関１の出力軸２０との接続を開始及び終了することにより行っている。そして、この電磁クラッチ２０の連結及び解除は、後述する制御装置３により行う。
【００２２】
制御装置３は、中央演算処理装置と記憶装置と入力インターフェースと出力インターフェースとを具備してなるマイクロコンピュータシステムを主体に構成されている。記憶装置には、後述する放熱装置制御プログラムが格納してあり、また同プログラムの実行に必要なデータなどが記憶してある。入力インターフェースには、水温センサ１１から出力される水温信号ａと、電動ポンプ１０の回転を検出する前記回転数センサ１２から出力される回転数信号ｂとが、その他の各種のセンサやスイッチ（それぞれ図示しない）の出力信号とともに入力される。また、出力インターフェースからは、電動ポンプ１０に対して回転制御信号ｃが、放熱装置７の送風モータ９ａに対して駆動信号ｄが、さらには図示しない燃料噴射弁やスパークプラグなどに対してそれぞれ作動のための信号が出力される。そして、この制御装置３は、上述した電磁クラッチ２０の接続及び解除を行うためのスイッチとしての機能をも有する。
【００２３】
前記制御装置３の記憶装置には、中央演算処理装置が実行することにより、前記空調装置２の作動を検出した際に、前記電動ポンプ１０からの冷却水の吐出量を増加させる制御を行う放熱装置制御プログラムが内蔵されている。
【００２４】
以下、この放熱装置制御プログラムによる制御の手順を、フローチャートである図を参照しつつ説明する。
【００２５】
まず、空調装置２の作動を検出したか否か、より具体的には前記電磁クラッチ２０の接続が行われたか否かを判定する（Ｓ１）。空調装置２の作動を検出した際、すなわち前記電磁クラッチ２０の接続が行われた際には、続けて所定のディレイ時間の間だけ待機する（Ｓ２）。このディレイ時間は、空調装置２が作動を開始した後該空調装置２のコンデンサ１４から放熱が開始されるまでの時間帯の長さに対応するものであり、例えば実験により予め決定される。その後、電動ポンプ１０からの冷却水の吐出量を増加させる制御を行う（Ｓ３）。なお、電動ポンプ１０からの冷却水の吐出量の増加幅ΔQは、以下の式（１）により決定される。一方、空調装置２の作動を検出していない際、すなわち前記電磁クラッチ２０の接続が行われていない際には、電動ポンプ１０からの冷却水の吐出量増加を解除する制御を行う（Ｓ４）。
【００２６】
ΔQ＝ (a×A) + (b×B) + (c×C) + (d×D) - (e×E) - (f×F)  （１）
ここで、式（１）のAは空調装置２の負荷、Bは前記水温センサ１１から出力される水温信号が示す冷却水温、Cは別途設けた図示しない外気温センサから出力される外気温信号が示す外気温、Dは別途設けた図示しない吸気圧センサから出力される吸気圧信号が示す要求負荷、Eは送風モータ９ａの状態、Fは別途設けた図示しない車速センサから出力される車速信号が示す車速であり、a〜fは実験等により予め決定された係数である。また、前記式（１）のEは送風量が「最小」である場合に「１」、「中」である場合に「２」、「最大」である場合に「３」の値をそれぞれとる。なお、吸気圧に代えて、アクセルペダルの操作量や内燃機関１の吸気マニホルドに供給される空気流量を、要求負荷を示す変数である式（１）のDとして採用してもよい。
【００２７】
以上に述べたように、本実施形態の構成によれば、空調装置２の作動に伴い該空調装置２のコンデンサ１４から放熱が行われ、このコンデンサ１４からの熱により放熱装置７の放熱器による冷却性能が低下することを見越して、電動ポンプ１０からの冷却水の吐出量を増加させる制御、すなわち放熱装置７による冷却能力を増強する制御を行う。従って、通常の放熱装置７及び空調装置２のみを利用して、特別な装置を用いることなく、冷却水の液温制御の収束性を向上させることができる。
【００２８】
また、前記制御装置３が、前記空調装置２の作動を検出した際に、所定のディレイ時間の間待機し、その後前記電動ポンプ１０からの冷却水の吐出量を増加させる制御を行うとともに、このディレイ時間が、空調装置２が作動を開始した後該空調装置２のコンデンサ１４から放熱が開始されるまでのタイムラグに対応しているので、空調装置２のコンデンサ１４から放熱が行われていない時間帯に冷却水の吐出量を増加させる、すなわち電動ポンプ１０の出力を増大させることによる電力負荷の上昇を抑制できる。従って、燃費の向上を図ることができる。さらに、このような制御を行うことにより、前記空調装置２の作動開始のタイミングと前記電動ポンプ１０からの冷却水の吐出量を増加させる制御の開始のタイミングとを異ならせることができるので、この面からも制御を安定して行うようにすることができる。
【００２９】
なお、本発明は以上に述べた実施態様に限らない。
【００３０】
例えば、上述した実施形態では、空調装置の作動を検出した後、電動ポンプからの冷却水（冷却液）の吐出量を増加させる制御を行うまでのディレイ時間を、実験により予め決定するようにしているが、空調装置の配管中に冷媒の圧力を検知する圧力センサを設け、空調装置の作動を検出した後、この圧力センサの出力信号が示す冷媒の圧力が所定値を上回るまで待機するようにしてもよい。また、場合によっては、空調装置の作動を検出した直後に電動ポンプからの冷却液の吐出量を増加させる制御を開始するようにしてもよい。
【００３１】
その他、本発明の趣旨を損ねない範囲で種々に変形してよい。
【符号の説明】
【００３２】
１００…車両
１…内燃機関
２…空調装置
３…制御装置
７…放熱装置
８…ラジエータ（放熱器）
９…送風機
１０…電動ポンプ
【図１】
0005804890.tif 000002
【図２】
0005804890.tif 000003